(57)【要約】【課題】十分な応答速度を有し、かつ、十分なコントラストを有する画面を可能とするフィールドシーケンシャル方式液晶表示装置を実現する。【解決手段】第１の基板と第２の基板の間に液晶層が挟持され、第１の基板の外側に第１の偏光板が貼り付けられ、第２の基板の外側に第２の偏光板が貼り付けられた液晶セル１０の背後にバックライト３０が配置され、液晶セル１０とバックライト３０はフィールドシーケンシャル方式で駆動され、液晶セル１０の表示面側である第１の偏光板の上に拡散フィルム２０が貼り付けられ、バックライト３０はコリメートバックライトであり、半値幅は２０度以下である。拡散フィルム２０によって視野角を拡大し、コリメートバックライト３０を用いることによって、拡散フィルム２０を使用したことによるコントラストの低下を防止する。【選択図】図１
2015082017.tif 000002
【特許請求の範囲】
【請求項１】
第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、
前記液晶セルと前記バックライトはフィールドシーケンシャル方式で駆動され、
前記液晶セルの表示面側である前記第１の偏光板の上に拡散フィルムが貼り付けられ、
前記バックライトはコリメートバックライトであり、半値幅は２０度以下であることを特徴とする液晶表示装置。
【請求項２】
前記バックライトは導光板の側面にＬＥＤパッケージが配置され、前記ＬＥＤパッケージには異なる色の光を放射する複数のＬＥＤチップが配置されていることを特徴とする請求項１に記載の液晶表示装置。
【請求項３】
前記導光板の前記側面の厚さをｔとし、前記前記ＬＥＤパッケージ内の前記複数のＬＥＤチップの外側に配置しているＬＥＤチップ間の間隔をｄとした場合、ｄ≦５ｔであることを特徴とする請求項２に記載の液晶表示装置。
【請求項４】
前記導光板の前記側面の厚さをｔとし、前記前記ＬＥＤパッケージ内の前記複数のＬＥＤチップの外側に配置しているＬＥＤチップ間の間隔をｄとした場合、ｄ≦２ｔであることを特徴とする請求項３に記載の液晶表示装置。
【請求項５】
前記ＬＥＤパッケージは前記導光板の側面に複数配置されていることを特徴とする請求項１乃至４のいずれか１項に記載の液晶表示装置。
【請求項６】
前記バックライトはプリズムシートの下方にＬＥＤパッケージが配置され、ＬＥＤパッケージには異なる色の光を放射する複数のＬＥＤチップが配置され、前記ＬＥＤパッケージの間隔をＤとし、前記ＬＥＤパッケージ内の前記ＬＥＤチップの間隔をｄとした場合、ｄ≦Ｄ/２であることを特徴とする請求項１に記載の液晶表示装置。
【請求項７】
第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、
前記液晶セルと前記バックライトはフィールドシーケンシャル方式で駆動され、
前記液晶セルの表示面側である前記第１の偏光板と前記第１の基板の間に拡散フィルムが配置され、
前記バックライトはコリメートバックライトであり、半値幅は２０度以下であることを特徴とする液晶表示装置。
【請求項８】
第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、
前記液晶セルと前記バックライトはフィールドシーケンシャル方式で駆動され、
前記液晶セルの表示面側である前記第１の基板の前記液晶層の側には拡散フィルムが配置されており、
前記バックライトはコリメートバックライトであり、半値幅は２０度以下であることを特徴とする液晶表示装置。
【発明の詳細な説明】
【技術分野】
【０００１】
本発明はバックライトを有する表示装置に係り、特にフィールドシーケンシャル方式を用いた液晶表示装置に関する。
【背景技術】
【０００２】
バックライトを有する表示装置、例えば液晶表示装置では、画素電極および薄膜トランジスタ（ＴＦＴ）等がマトリクス状に形成されたＴＦＴ基板と、ＴＦＴ基板に対向して、ＴＦＴ基板の画素電極と対応する場所にカラーフィルタ等が形成された対向基板が設置され、ＴＦＴ基板と対向基板の間に液晶が挟持されている。そして液晶分子による光の透過率を画素毎に制御することによって画像を形成している。
【０００３】
液晶表示装置は、薄型、軽量に出来ることから色々な分野に使用されている。液晶は自身では発光しないので、液晶表示パネルの背面にバックライトを配置している。バックライトの利用効率を向上させるために、プリズムシート等を用いることによって、液晶表示パネルの面と垂直方向の光を多くする技術が存在する。
【０００４】
特許文献１には、円偏光反射板と位相差板を積層することによって、方位角の依存性を有さず、偏光として出射光を取り出すことが出来る集光素子が記載されている。非特許文献１には、拡散フィルムの例が記載されている。
【先行技術文献】
【特許文献】
【０００５】
【特許文献１】特開２００８−２５０３３４号公報
【非特許文献】
【０００６】
【非特許文献１】ＩＤＷ‘１１  ＬＣＴ  ｐ４−１４Ｌ
【発明の概要】
【発明が解決しようとする課題】
【０００７】
液晶表示装置の駆動方法として、いわゆるフィールドシーケンシャルによる駆動方法は、カラーフィルタを使用する場合もあるが、カラーフィルタを使用しなくとも動作することが出来るので、バックライトのエネルギー効率が優れている。
【０００８】
図７は、フィールドシーケンシャルの原理を示す説明図である。図７（ａ）は液晶セルの表示領域に表示されるパターンを示しており、赤、緑、青、白の帯状パターンを表示する場合を示している。図７（ｂ）は、図７（ａ）の表示をするために、１フィールドを３サブフィールドに分割し、バックライトを赤、緑、青の点灯する様子を示している。すなわち、各色の点灯時期に応じて液晶セルに印加する信号電圧を変化させて表示パターンを変化させることによって、３サブフィールド表示後に図７（ａ）のようなパターンを視認させることが出来る。図７は最も一般的なＲＧＢの３サブフィールドの例を示しているが、本発明は、これに限らず、補色関係に色を発光させる、補色のフィールドシーケンシャル方式にも適用することが出来る。
【０００９】
フィールドシーケンシャルを実施するための最も大きな課題は、液晶の応答速度が遅いことである。液晶の応答は、一般に式（１）および式（２）によって表すことが出来る。
【００１０】
【数１】
2015082017.tif 000003
【００１１】
【数２】
2015082017.tif 000004
【００１２】
式（１）で表されるτoffは電圧をoffした時の応答時間であり、τonは電圧をonした時の応答時間である。γ1は液晶材料の回転粘性係数、dは液晶層のギャップ、Kは液晶材料の弾性定数、△εは誘電率異方性である。
【００１３】
式（１）、式（２）からわかるように、液晶の応答時間は、ギャップの自乗に比例し、弾性定数に比例する。弾性定数は液晶の表示モードに依存する。液晶のモードによっては、応答時間は短いが、視野角の十分でないモードも存在する。また、視野角を広げる構成としたとき、コントラストが低下する場合がある。
【００１４】
本発明の課題は、フィールドシーケンシャル動作に十分な応答時間を有し、かつ、十分な視野角、あるいは、画面コントラストを有する液晶表示装置を実現することである。
【課題を解決するための手段】
【００１５】
本発明は以上のような課題を解決するものであり、主な手段は次のとおりである。
【００１６】
（１）第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、前記液晶セルと前記バックライトはフィールドシーケンシャル方式で駆動され、前記液晶セルの表示面側である前記第１の偏光板の上に拡散フィルムが貼り付けられ、前記バックライトはコリメートバックライトであり、半値幅は２０度以下であることを特徴とする液晶表示装置。
【００１７】
（２）第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、
前記液晶セルと前記バックライトはフィールドシーケンシャル方式で駆動され、
前記液晶セルの表示面側である前記第１の偏光板と前記第１の基板の間に拡散フィルムが配置され、前記バックライトはコリメートバックライトであり、半値幅は２０度以下であることを特徴とする液晶表示装置。
【００１８】
（３）第１の基板と第２の基板の間に液晶層が挟持され、前記第１の基板の外側に第１の偏光板が貼り付けられ、前記第２の基板の外側に第２の偏光板が貼り付けられた液晶セルの背後にバックライトが配置された液晶表示装置であって、前記液晶セルと前記バックライトはフィールドシーケンシャル方式で駆動され、前記液晶セルの表示面側である前記第１の基板の前記液晶層の側には拡散フィルムが配置されており、前記バックライトはコリメートバックライトであり、半値幅は２０度以下であることを特徴とする液晶表示装置。
【発明の効果】
【００１９】
本発明によれば、フィールドシーケンシャルに十分な応答速度を有し、実用的な視野角特性とコントラスト特性を有するフィールドシーケンシャル方式の液晶表示装置を実現することが出来る。
【図面の簡単な説明】
【００２０】
【図１】本発明による液晶表示装置の断面模式図である。
【図２】液晶セルの断面図である。
【図３】液晶セルの詳細断面図である。
【図４】ＴＦＴ基板における画素構造を示す平面図である。
【図５】本発明によるバックライトの例を示す断面図である。
【図６】拡散フィルムの有無による視野角の比較である。
【図７】フィールドシーケンシャルの動作を示す説明図である。
【図８】拡散フィルムの後方散乱の影響を示す説明図である。
【図９】本発明におけるバックライトの例を示す断面模式図である。
【図１０】拡散フィルムとコリメートバックライトのコントラストへの影響を示す表である。
【図１１】バックライトの半値幅の定義である。
【図１２】本発明におけるバックライトの半値幅とコントラストの関係を示すグラフである。
【図１３】本発明におけるフィールドシーケンシャル動作を示す模式図である。
【図１４】本発明に使用されるバックライトの例である。
【図１５】本発明に使用されるバックライトの他の例である。
【図１６】本発明し使用されるＬＥＤパッケージの例である。
【図１７】本発明に使用されるバックライトのさらに他の例である。
【図１８】本発明の第２の実施例を示す断面図である。
【図１９】本発明の第３の実施例を示す断面図である。
【発明を実施するための形態】
【００２１】
以下、本発明の内容を、実施例を用いて詳細に説明する。
【実施例１】
【００２２】
図１は本発明による液晶表示装置の断面図である。図１の液晶表示装置は、フィールドシーケンシャル方式で動作する。図１において、液晶セル１０の背面にはバックライト３０が配置し、液晶セル１０の表示面側には、拡散フィルム２０が存在している。拡散フィルム２０は液晶セル１０から出射する光を拡散することによって広い視野を持たせる機能を有する。拡散フィルム２０は、例えば、ある媒体に屈折率が異なる微粒子を分散させることによって実現することが出来る。拡散フィルム２０の特性は、後方散乱が少ないものがコントラストの低下を防止することが出来る。
【００２３】
図１の液晶表示装置はフィールドシーケンシャルで動作するので、バックライト３０は時間によって色が変化するものであればよい。光源としては、最も一般的なものはＬＥＤであるが、この他にＯＬＥＤや無機ＥＬを用いることが出来る。しかし、本発明のバックライト３０はコントラストの低下を防止するために、コリメートバックライトである必要がある。
【００２４】
図２は、図１の液晶セル１０の断面図である。図２において、ＴＦＴ基板１００と対向基板２００の間に液晶層１０７が挟持されている。ＴＦＴ基板１００の下側には下偏光板１１が貼り付けられ、対向基板２００の上側には上偏光板１２が貼り付けられている。偏光方向を変化させるために、偏光板に加えて位相差板を使用する場合もある。ＴＦＴ基板１００および対向基板２００は一般にはガラスが用いられるが、プラスチック基板あるいは、ガラス基板とプラスチック基板の複合板が用いられる場合もある。
【００２５】
図３は偏光板を除外した液晶セルの詳細断面図である。図３は、いわゆるＴＮ（Ｔｗｉｓｔｅｄ  Ｎｅｍａｔｉｃ）方式の液晶セルである。図３では、対向基板２００にカラーフィルタ２０２が形成されている。本液晶表示装置はフィールドシーケンシャルによって駆動されるので、カラーフィルタ２０２は必ずしも必要ではなく、カラーフィルタ２０２が存在しない場合もある。
【００２６】
図３において、ＴＦＴ基板１００の上に走査線１０１が形成され、走査線１０１を覆ってゲート絶縁膜１０２が形成されている。ゲート絶縁膜１０２の上には、図示しないＴＦＴから延在するソース電極１０３が形成されている。図示しないＴＦＴ、ソース電極１０３、ゲート絶縁膜１０２等を覆ってパッシベーション膜１０４が形成されている。パッシベーション膜１０４は、無機膜で形成する場合もあるし、有機膜で形成する場合もある。パッシベーション膜１０４の上に画素電極１０５が形成され、画素電極１０５を覆って配向膜１０６が形成されている。画素電極１０５はスルーホール１０８を介してソース電極１０３と接続している。
【００２７】
対向基板２００には、ブラックマトリクス２０１が形成され、各画素に対応してカラーフィルタ２０２が形成されている。フィールドシーケンシャル方式では、カラーフィルタ２０２が存在しない場合もある。カラーフィルタ２０２を覆ってオーバーコート膜２０３が形成され、オーバーコート膜２０３の上に対向電極２０４が形成されている。対向電極を覆って配向膜１０６が形成されている。
【００２８】
図３において、ＴＦＴ基板１００と対向電極２００の間に液晶層１０７が挟持されている。液晶分子１０７１は正の誘電率を有し、画素電極１０５と対向電極２０４との間に電圧が印加されると液晶分子１０７１が縦方向に立ち上がり、液晶層１０７の透過率を変化させる。なお、図３はＴＮ方式の液晶セルであるが、本発明はこれに限らず、いわゆるＶＡ（Ｖｅｒｔｉｃａｌ  Ａｌｉｇｎｍｅｎｔ）方式、あるいは、いわゆるＩＰＳ（Ｉｎ  Ｐｌａｎｅ  Ｓｗｉｔｃｈｉｎｇ）方式の液晶セルに対しても適用することが出来る。
【００２９】
図４は、液晶セルのＴＦＴ基板１００における画素構造を示す平面図である。なお、図３は図４のＡ−Ａ’断面図である。図４において、走査線１０１と映像信号線１１１とに囲まれた領域に画素電極１０５が平面状に形成されている。画素の左下に示す点線はＴＦＴ１１０の位置を示している。画素電極１０５はスルーホール１０８を介してＴＦＴ１１０から延在する図示しないソース電極と接続している。
【００３０】
図５は、図１のバックライト３０の例である。本発明はフィールドシーケンシャルに使用されるので、図５のバックライトは時間的に出射光の色が変化する。図５において、導光板３２の側面に光源であるＬＥＤパッケージ４０が配置されている。導光板３２の厚さはｔで示されている。導光板３２は、側面から入射した光を面発光に変換するものである。導光板３２は例えばアクリルやポリカーボネート等によって形成することが出来る。
【００３１】
ＬＥＤパッケージ４０には、別な色の光を放射する複数のＬＥＤチップが配置している。パッケージされている複数のＬＥＤチップはフィールドシーケンシャル動作のために、十分に近接して配置されている必要がある。
【００３２】
導光板の上には拡散シート３３が配置し、拡散シート３３の上には、２枚のプリズムシートが第２プリズムシート３４、第１プリズムシート３５の順に配置されている。本発明におけるバックライト３０からの光は、十分にコリメートされている必要があるので、プリズムシートには、コリメート効率の高い、凹凸が下面を向いている、いわゆる逆プリズムシートを用いている。プリズムシートは例えばアクリルやポリカーボネート等によって形成することが出来る。
【００３３】
図６は、本発明のように、拡散フィルムを液晶セルの表示面側に配置した場合と、配置しない場合の視野角特性の差を示すグラフである。図６（ａ）は、拡散フィルムを使用しない場合の視野角特性であり、図６（ｂ）は本発明の構成にかかる拡散フィルムを使用した場合の視野角特性である。図６（ａ）と図６（ｂ）を比較するとわかるように、本発明における構成によれば、視野角は大幅に向上している。したがって、仮に、フィールドシーケンシャルに対応するために、液晶セルの応答速度を早くした結果、液晶セルの視野角が狭くなった場合であっても、本発明のように、液晶セルの表示面側に拡散フィルムを配置することによって、視野角を拡大することができる。
【００３４】
しかしながら、拡散フィルム２０を液晶セル１０の表示面側に用いることによってコントラストが低下する。これは、拡散フィルム２０に後方散乱が発生することに起因している。図８（ａ）は拡散フィルム２０の後方散乱が大きい場合の例であり、この場合は、拡散フィルム２０を通過する漏れ光が大きいことを示している。つまり、コントラストが低下することを示している。一方、図８（ｂ）は拡散フィルム２０の後方散乱が小さい場合の例であり、拡散フィルム２０を通過する漏れ光が小さいことを示している。すなわち、コントラストの低下が小さいことを示している。
【００３５】
すなわち、後方散乱が存在すると、この光が液晶層に戻る。その結果、液晶セル１０内で内部反射が発生し、偏光状態が崩れてしまい、黒表示時に光漏れが生ずる。したがって、本発明においては、後方散乱の小さい拡散フィルム２０を用いることが望ましい。後方散乱の無い拡散フィルムを用いることがベストである。
【００３６】
一方、拡散フィルム２０の後方散乱が避けられない場合、バックライト３０の集光率を高めることによって光漏れを軽減し、コントラストの低下を抑えることが出来る。すなわち、図９に示すように、液晶セル１０の法線方向にのみ光が入射したとすると、拡散フィルム２０によって後方散乱が生じたとしても、拡散フィルム２０から液晶セル１０側に反射する光の液晶セル１０の法線に対する角度が小さくなる。反射光の液晶セル１０の法線に対する角度が大きいほど、内部散乱による偏光解消が大きくなるので、コントラストが低下する。逆に反射光の液晶セル１０の法線に対する角度が小さければ偏光解消は抑えられ、漏れ光の量を低減でき、コントラストの低下を抑えることが出来る。
【００３７】
図１０は、通常の液晶表示装置と、本発明のように、液晶セル１０の表示面側に拡散フィルム２０を配置した場合のコントラストの比較を示す。図１０において、Ｎｏ．１に示す通常の液晶表示装置では、拡散フィルム２０は存在しないので、視野角は小さいが、拡散フィルム２０を使用していないので、コントラストは高く保たれている。このコントラストを１０００として基準にする。
【００３８】
一方、図１０におけるＮｏ．２は、通常のバックライトを用い、拡散フィルム２０を使用した場合のコントラストを示す。すなわち、拡散フィルム２０を使用して視野角は大きくなっているが、コントラストは従来例に比較して６００にまで低下する。図１０のＮｏ．３は、本発明にように、バックライトに集光作用の強い、コリメートバックライトを使用した場合のコントラストを示す。Ｎｏ．３において、コリメートバックライトを使用したことによって、コントラストは８００にまで回復している。一方、拡散フィルム２０を使用したことによって視野角は従来例に比較して向上している。
【００３９】
このように、本発明においては、Ｎｏ．３に示すように、液晶セル１０の表示面側に拡散フィルム２０を配置し、かつ、コリメートバックライト３０を用いることによって、視野角を拡大し、かつ、コントラストを実用範囲に維持することが出来る。図１１は、コリメートバックライト３０の集光率の目安となるバックライトの半値幅を定義した図である。図１１において、バックライトの輝度の最大値ＢＬmaxと最小値ＢＬminから最大輝度の約半分である、ＢＬmid＝（ＢＬmax−ＢＬmin）/２によってＢＬmidを定義する。
【００４０】
図１２は、本発明の構成において横軸にバックライトの半値幅をとり、縦軸にコントラスト比をプロットしたグラフである。バックライトの半値幅が２０度以下になると急激にコントラスト比が上昇する。この結果、図１の構成において、バックライトの半値幅を２０度以下にした集光（コリメート）バックライトを用いることによって、視野角特性大きく保ち、かつ、コントラストを維持したフィールドシーケンシャル動作の液晶表示装置を実現することが出来る。なお、半値幅２０度以下は、全方位角において、満足している必要はなく、方位角のある１方向のみ２０度以下となっていればよい。
【００４１】
図１３は、本発明におけるバックライトの模式図である。図１３に示すバックライトは、図７に示すバックライトとは構成は同様であるが、バックライトの半値幅が２０度以下である点で異なっている。１フィールド内で、各サブフィールドごとに色を変化させることは図７と同様である。
【００４２】
図１４は、本発明における具体的なバックライトの構成例である。図１４はベクター型と呼ばれるバックライトである。図１４において、導光板３２の側面に単体のＬＥＤパッケージ４０が配置している。単体のＬＥＤパッケージ４０には異なる色の光を放射する複数のＬＥＤチップが配置されており、各ＬＥＤチップからの出射光はほぼ同一の輝度分布で導光板の主面から光が出射するように、ＬＥＤチップ間の距離は十分に小さく設定されている。
【００４３】
図１４において、導電板３２の光の出射面には、ＬＥＤパッケージ４０を中心にほぼ同心円状に溝が形成されている。なお、溝の代わりに突起が形成されていてもよい。導光板の下側には反射シートが配置し、導光板の上側には、必要に応じて拡散シートやプリズムシートが配置されるが、図１４においてはこれらの部品は省略されている。
【００４４】
図１５は、本発明で使用されるバックライトの他の例である。図１５において、導光板３２の側面にＬＥＤパッケージ４０が配置している。導光板３２の厚さはｔである。ＬＥＤパッケージ４０は、一つのパッケージ内に別な色を放射するＬＥＤチップを複数配置してＬＥＤチップ間の間隔を小さくし、フィールドシーケンシャル駆動を可能としている。図１５において、導光板３２の背面には反射シート３１が配置され、導光板３２の出射面側には逆プリズムシート３６と拡散シート３３が積層されている。プリズムシート３６は集光効果のより優れた、いわゆる逆プリズムシート３６である。プリズムシート３６は２枚配置される場合もある。
【００４５】
図１６は図１５に使用されるＬＥＤパッケージ４０の例である。図１６（ａ）はＬＥＤパッケージ４０内に発光色の異なる第１のＬＥＤチップ４１と第２のＬＥＤチップ４２を縦方向に２個配置した例である。図１６（ａ）におけるＬＥＤチップ間の距離ｄは導光板３２の厚さｔよりも小さい。ここで、導光板３２の厚さがＬＥＤパッケージ４０が配置される側面と他の側面で異なる場合は、ＬＥＤパッケージ４０が配置される側面における導光板３２の厚さである。
【００４６】
図１６（ｂ）は、ＬＥＤパッケージ内に第１のＬＥＤチップ４１と第２のＬＥＤチップ４２を横方向に２個配置した例である。図１６において、２個のＬＥＤチップ間の距離ｄは、導光板３２の厚さをｔとした場合、５ｔ以下であり、好ましくは２ｔ以下、さらに好ましくはｔ以下である。
【００４７】
図１６は、ＬＥＤパッケージ４０内にＬＥＤチップを２個配置した例であるが、３個以上の場合もありうる。この場合も、両端のＬＥＤチップ間の距離では、図１６（ａ）のような縦配置の場合は、導光板の厚さｔ以下であり、図１６（ｂ）のような横配置の場合は、５ｔ以下、好ましくは２ｔ以下、さらに好ましくはｔ以下である。なお、図１５の導光板３２の辺に沿ってのＬＥＤパッケージ４０の間隔をＤとした場合、ＬＥＤパッケージ４０内におけるＬＥＤチップ間の間隔ｄはＤ/２以下となることが好ましい。
【００４８】
図１７は図１に示す本発明におけるバックライト３０が直下型の場合である。図１７において、プリズムシート３６の下側にＬＥＤパッケージ４０が配置されている。ＬＥＤパッケージ４０内には、異なる色を発光するＬＥＤチップが複数配置されている。フィールドシーケンシャル駆動を可能とするために、ＬＥＤチップの間隔を小さくするためである。
【００４９】
図１７において、ＬＥＤパッケージ４０間の間隔Ｄは、輝度むらが発生しないような間隔に選定される。図１７におけるＬＥＤパッケージ４０内における複数のＬＥＤチップの配置は、図１６（ｂ）のような配置となる。図１７においてＬＥＤパッケージ４０内において異なる色を放射するＬＥＤチップの間隔をｄとすると、ｄはＤの１/２以下である。ＬＥＤパッケージ４０内のＬＥＤチップの数が３個以上の場合も両側のＬＥＤチップ間の間隔ｄは、ＬＥＤパッケージ間の間隔Ｄの１/２以下となるように設定される。
【実施例２】
【００５０】
図１８は、本発明における第２の実施例の断面図である。本実施例においても、液晶セルの背面には実施例１で説明したコリメートバックライトが使用される。図１８が図１と異なる点は、拡散フィルム２０が液晶セル内に組み込まれていることである。図１８において、拡散フィルム２０が上偏光板１２と対向基板２００の間に配置されている。この時の拡散フィルム２０は偏光解消しないようなフィルムであることが望ましい。
【００５１】
拡散フィルム２０と画像が形成される対向基板２００の内面とはなるべく近いほうが画像のぼやけを低減することが出来る。したがって、実施例１の構成よりも本実施例のほうが画像のぼやけを低減することが出来る。図１８は上偏光板１２とは別個に拡散フィルム２０を配置した例であるが、上偏光板１２を対向基板２００に貼り付ける粘着材に拡散効果を持たせることによって拡散フィルムの役割を持たせることができる。
【実施例３】
【００５２】
図１９は、本発明における第３の実施例の断面図である。本実施例においても、液晶セルの背面には実施例１で説明したコリメートバックライトが使用される。図１９において、拡散フィルム２０は液晶セルにおける対向基板２００の内面に形成されている。拡散フィルム２０は別部品として対向基板２００の内面に形成してもよいが、対向基板内における層に拡散フィルムと同様な効果を持たせてもよい。
【００５３】
対向基板における拡散フィルムと同様な効果を持たせる層としては、オーバーコート膜が挙げられる。また、カラーフィルタが存在する場合は、カラーフィルタに拡散フィルムと同様な効果を持たせることも出来る。この場合は、画像のぼやけを実施例２よりも小さくすることが出来る。
【符号の説明】
【００５４】
１０…液晶セル、  １１…下偏光板、  １２…上偏光板、  ２０…拡散フィルム、  ３０…バックライト、  ３１…反射シート、  ３２…導光板、  ３３…拡散シート、  ３４…第２プリズムシート、  ３５…第１プリズムシート、  ３６…逆プリズムシート、  ４０…ＬＥＤパッケージ、  ４１…第１のＬＥＤ、  ４２…第２のＬＥＤ、  ６０…コリメートバックライト、  １００…ＴＦＴ基板、  １０１…走査線、  １０２…ゲート絶縁膜、  １０３…ソース電極、  １０４…パッシベーション膜、  １０５…画素電極、  １０６…配向膜、  １０７…液晶層、  １０８…スルーホール、  ２００…対向基板、  ２０１…ブラックマトリクス、  ２０２…カラーフィルタ、  ２０３…オーバーコート膜、  ２０４…対向電極、  １０７１…液晶分子
【図１】
2015082017.tif 000005
【図２】
2015082017.tif 000006
【図３】
2015082017.tif 000007
【図４】
2015082017.tif 000008
【図５】
2015082017.tif 000009
【図６】
2015082017.tif 000010
【図７】
2015082017.tif 000011
【図８】
2015082017.tif 000012
【図９】
2015082017.tif 000013
【図１０】
2015082017.tif 000014
【図１１】
2015082017.tif 000015
【図１２】
2015082017.tif 000016
【図１３】
2015082017.tif 000017
【図１４】
2015082017.tif 000018
【図１５】
2015082017.tif 000019
【図１６】
2015082017.tif 000020
【図１７】
2015082017.tif 000021
【図１８】
2015082017.tif 000022
【図１９】
2015082017.tif 000023